(57)【特許請求の範囲】
【請求項１】
光源と、
前記光源の光を利用して表示を行う表示パネルと、
前記表示パネルの端部に接続されるフレキシブル基板と、
前記表示パネルに対してその表示面側とは反対側に重なるように配されるとともに端面が前記光源と対向状に配される導光板と、
前記光源及び前記フレキシブル基板を収容する一方、前記表示パネル及び前記導光板を前記表示面側とその反対側とから挟み込む形で保持する一対の保持部を有する保持部材と、
前記フレキシブル基板に接続されることで前記表示パネルに信号を伝送可能とされるとともに、前記光源が取り付けられる光源付き信号伝送部材と、を備え、
前記光源付き信号伝送部材には、前記光源と前記表示パネルの端部との間に介在して遮光する遮光部が形成されている表示装置。
【請求項２】
前記遮光部は、前記光源付き信号伝送部材における前記光源が取り付けられた面から前記導光板側に向けて突出して少なくとも前記導光板の前記端面に達している請求項１記載の表示装置。
【請求項３】
前記遮光部は、前記導光板の前記端面を超える位置にまで達している請求項２記載の表示装置。
【請求項４】
前記光源付き信号伝送部材における前記導光板との対向面には、凹状部が形成され、この凹状部に前記光源が収容される形で取り付けられるとともに、前記導光板の端部が差し込まれており、
前記凹状部を構成する壁部によって前記遮光部が構成されている請求項１から請求項３のいずれか１項に記載の表示装置。
【請求項５】
前記凹状部を構成する前記壁部は、前記光源及び前記導光板に対して前記表示面側に配されて前記遮光部となる部分と、前記光源及び前記導光板に対して前記表示面側とは反対側に配される部分とを少なくとも有している請求項４記載の表示装置。
【請求項６】
前記光源は、複数が前記導光板の前記端面に沿って並ぶ形で配されており、
前記凹状部は、前記光源の並び方向に沿って延在する溝状に形成されている請求項４または請求項５記載の表示装置。
【請求項７】
前記フレキシブル基板は、前記表示パネルの端部に沿う方向について複数が間欠的に並んで配されており、
前記遮光部は、前記表示パネルの端部に沿う方向について前記フレキシブル基板と平面に視て重畳する重畳領域と、前記フレキシブル基板と平面に視て重畳しない非重畳領域とに跨る形で配されている請求項１から請求項６のいずれか１項に記載の表示装置。
【請求項８】
前記遮光部は、前記導光板の前記端面に当接されている請求項１から請求項７のいずれか１項に記載の表示装置。
【請求項９】
前記一対の保持部のいずれか一方の保持部には、前記光源付き信号伝送部材に対して前記導光板側とは反対側に配されるとともに、前記光源付き信号伝送部材と、前記一対の保持部のうちの他方の保持部とが取り付けられる取付部が設けられている請求項１から請求項８のいずれか１項に記載の表示装置。
【請求項１０】
前記一対の保持部のうち少なくとも前記取付部が設けられた前記保持部は、金属製とされる請求項９記載の表示装置。
【請求項１１】
前記光源は、ＬＥＤとされる請求項１から請求項１０のいずれか１項に記載の表示装置。
【請求項１２】
前記表示パネルは、一対の基板間に液晶を封入してなる液晶パネルとされる請求項１から請求項１１のいずれか１項に記載の表示装置。
【請求項１３】
請求項１から請求項１２のいずれか１項に記載された表示装置を備えるテレビ受信装置。
【発明の詳細な説明】
【技術分野】
【０００１】
本発明は、表示装置及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型の表示パネルに移行しつつあり、画像表示装置の薄型化を可能としている。液晶表示装置は、これに用いる液晶パネルが自発光しないため、別途に照明装置としてバックライト装置を必要としており、バックライト装置はその機構によって直下型とエッジライト型とに大別されている。液晶表示装置の一層の薄型化を実現するには、エッジライト型のバックライト装置を用いるのが好ましく、その一例として下記特許文献１に記載されたものが知られている。
【先行技術文献】
【特許文献】
【０００３】
【特許文献１】特開２００９−２３００３７号公報
【発明の概要】
【発明が解決しようとする課題】
【０００４】
上記した特許文献１に記載された液晶表示装置では、液晶パネルを表側のパネル押さえ部材と、裏側のパネル受け部材とによって挟み込む構造を採っている。このうち、パネル受け部材は、その表側に配された液晶パネル及び液晶パネルの端部に接続されたフレキシブル基板と、裏側に配された導光板及び導光板の端面と対向状に配される光源との間に介在していて両者を仕切る形で配されている。ここで、製造コストの削減やさらなる薄型化などの要請があった場合には、例えば上記したパネル受け部材を廃止することが検討される可能性がある。ところが、パネル受け部材を単純に廃止すると、光源とフレキシブル基板とが同じ空間に配される構成となるため、例えば光源を光源基板に実装したり、或いは光源基板を放熱部材に取り付ける、といった構成を採用した場合には、フレキシブル基板が光源基板や放熱部材に干渉するおそれがある。そうなると、フレキシブル基板に損傷が生じ、それによってフレキシブル基板の配線がショートするなどして表示不良を引き起こすといった問題が生じるおそれがあった。
【０００５】
本発明は上記のような事情に基づいて完成されたものであって、フレキシブル基板に損傷などが生じるのを防ぐことを目的とする。
【課題を解決するための手段】
【０００６】
本発明の表示装置は、光源と、前記光源の光を利用して表示を行う表示パネルと、前記表示パネルの端部に接続されるフレキシブル基板と、前記表示パネルに対してその表示面側とは反対側に重なるように配されるとともに端面が前記光源と対向状に配される導光板と、前記光源及び前記フレキシブル基板を収容する一方、前記表示パネル及び前記導光板を前記表示面側とその反対側とから挟み込む形で保持する一対の保持部を有する保持部材と、前記フレキシブル基板に接続されることで前記表示パネルに信号を伝送可能とされるとともに、前記光源が取り付けられる光源付き信号伝送部材と、を備える。
【０００７】
このようにすれば、表示パネルには、光源付き信号伝送部材からフレキシブル基板を介して信号が伝送されるのに対し、光源から発せられた光は、導光板の端面に入射してから表示パネルへ導かれるので、その光を利用して表示パネルに画像が表示される。保持部材が有する一対の保持部は、光源及びフレキシブル基板を収容する一方、互いに重なるようにして配された表示パネル及び導光板を、表示面側とその反対側とから挟み込まれる形で保持しており、従来のように導光板及び光源と表示パネル及びフレキシブル基板との間にパネル受け部材が介在する構成となっていないため、仮に光源を光源基板に取り付けたり、光源が取り付けられた光源基板を放熱部材に取り付けるようにした場合にはフレキシブル基板が光源基板や放熱部材に干渉して損傷などを受けることが懸念される。その点、本発明では、フレキシブル基板が接続されることで表示パネルに信号を伝送可能とされるとともに、光源が取り付けられる光源付き信号伝送部材が備えられているから、上記のようにフレキシブル基板が他の部材（光源基板や放熱部材など）に干渉するのを回避することができる。これにより、フレキシブル基板に損傷などが生じ難くなり、もって表示パネルに係る表示品位を安定的に良好なものとすることができる。また、仮に光源が取り付けられる光源基板と、フレキシブル基板が接続される信号伝送部材とを別途に設けた場合に比べると、当該表示装置の狭額縁化を図ることができるとともに、部品点数を削減することができてコスト面でも有利となる。
【０００８】
本発明の実施態様として、次の構成が好ましい。
（１）前記光源付き信号伝送部材には、前記光源と前記表示パネルの端部との間に介在して遮光する遮光部が形成されている。このようにすれば、遮光部によって光源からの光が導光板を介することなく表示パネルの端部に直接入射するのを遮ることができる。これにより、表示パネルへの光漏れを防ぐことができて表示品位が低下するのを防ぐことができる。
【０００９】
（２）前記遮光部は、前記光源付き信号伝送部材における前記光源が取り付けられた面から前記導光板側に向けて突出して少なくとも前記導光板の前記端面に達している。このようにすれば、光源付き信号伝送部材における光源が取り付けられた面から導光板側に向けて突出する遮光部が、少なくとも導光板の端面に達しているから、光源からの光をより効率的に導光板の端面に入射させることができるとともに、表示パネルの端部への直接の入射をより確実に防ぐことができる。これにより、遮光部による遮光機能をより高いものとすることができ、表示パネルへの光漏れをより確実に防止することができる。
【００１０】
（３）前記遮光部は、前記導光板の前記端面を超える位置にまで達している。このようにすれば、遮光部による遮光機能を一層高いものとすることができ、表示パネルへの光漏れを一層確実に防止することができる。
【００１１】
（４）前記光源付き信号伝送部材における前記導光板との対向面には、凹状部が形成され、この凹状部に前記光源が収容される形で取り付けられるとともに、前記導光板の端部が差し込まれており、前記凹状部を構成する壁部によって前記遮光部が構成されている。このようにすれば、光源が凹状部に収容される形で取り付けられ、その凹状部に導光板の端部が差し込まれているので、光源と導光板の端面との間の距離を短くすることができ、それにより光源から導光板の端面に入射する光の入射効率を高いものとすることができる。しかも、上記距離が短くなることで当該表示装置の狭額縁化を図ることができる。そして、凹状部を構成する壁部である遮光部によって光源からの光が表示パネルの端部に入射するのを良好に遮ることができる。
【００１２】
（５）前記凹状部を構成する前記壁部は、前記光源及び前記導光板に対して前記表示面側に配されて前記遮光部となる部分と、前記光源及び前記導光板に対して前記表示面側とは反対側に配される部分とを少なくとも有している。このようにすれば、凹状部を構成する壁部が、光源及び導光板に対して表示面側に配される部分（遮光部）と、光源及び導光板に対して表示面側とは反対側に配される部分とを少なくとも有しているから、これらの部分によって光源から発せられた光を導光板の端面へと一層効率的に入射させることができる。これにより、光の利用効率を一層高いものとすることができ、輝度の向上並びに低消費電力化を図ることができる。
【００１３】
（６）前記光源は、複数が前記導光板の前記端面に沿って並ぶ形で配されており、前記凹状部は、前記光源の並び方向に沿って延在する溝状に形成されている。このようにすれば、凹状部への各光源の取り付けなどが容易なものとなる。しかも、各光源から発せられてその並び方向に広がる光が、凹状部を構成する壁部によって遮られることなく導光板の端面に入射されるので、輝度ムラの抑制などに好適となる。
【００１４】
（７）前記フレキシブル基板は、前記表示パネルの端部に沿う方向について複数が間欠的に並んで配されており、前記遮光部は、前記表示パネルの端部に沿う方向について前記フレキシブル基板と平面に視て重畳する重畳領域と、前記フレキシブル基板と平面に視て重畳しない非重畳領域とに跨る形で配されている。このようにすれば、重畳領域及び非重畳領域の双方において、遮光部によって光源からの光が導光板を介することなく表示パネルの端部に直接入射するのを遮ることができるのに加え、重畳領域と非重畳領域との境界位置においても、これらを跨ぐ形で配される遮光部によって光源からの光を遮ることができるから、光漏れをより確実に防止することができる。
【００１５】
（８）前記遮光部は、前記導光板の前記端面に当接されている。このようにすれば、遮光部が導光板の端面に当接されることで両者間に隙間が形成されるのを防ぐことができるから、表示パネルへの光漏れをより確実に防止することができる。しかも、遮光部によって導光板を光源に対して位置決めすることができ、それにより光源から導光板の端面に入射する光の入射効率を安定化させることができるのに加え、温度環境の変化に伴って導光板に熱膨張が生じた場合でも導光板が光源に干渉するのを防ぐことができる。
【００１６】
（９）前記一対の保持部のいずれか一方の保持部には、前記光源付き信号伝送部材に対して前記導光板側とは反対側に配されるとともに、前記光源付き信号伝送部材と、前記一対の保持部のうちの他方の保持部とが取り付けられる取付部が設けられている。このようにすれば、一対の保持部のいずれか一方の保持部に設けられた取付部に、光源付き信号伝送部材と、一対の保持部のうちの他方の保持部とが取り付けられるから、仮に両者の取付構造を別途に用意した場合に比べると、構造を簡素化することができるとともに、当該表示装置の狭額縁化を図る上でも好適となる。
【００１７】
（１０）前記一対の保持部のうち少なくとも前記取付部が設けられた前記保持部は、金属製とされる。このようにすれば、少なくとも取付部が設けられた保持部における熱伝導性が良好なものとなるから、光源付き信号伝送部材から取付部に伝達される光源の熱を効率的に放熱することができる。
【００１８】
（１１）前記光源は、ＬＥＤとされる。このようにすれば、高輝度化及び低消費電力化などを図ることができる。
【００１９】
（１２）前記表示パネルは、一対の基板間に液晶を封入してなる液晶パネルとされる。このような表示装置は液晶表示装置として、種々の用途、例えばテレビやパソコンのディスプレイ等に適用でき、特に大型画面用として好適である。
【発明の効果】
【００２０】
本発明によれば、フレキシブル基板に損傷などが生じるのを防ぐことができる。
【図面の簡単な説明】
【００２１】
【図１】本発明の実施形態１に係るテレビ受信装置及び液晶表示装置の概略構成を示す分解斜視図
【図２】テレビ受信装置及び液晶表示装置の背面図
【図３】液晶表示装置をなす液晶表示ユニットの概略構成を示す分解斜視図
【図４】液晶表示ユニット（液晶表示装置）の短辺方向に沿った断面構成を示す断面図
【図５】図４のv-v線断面図
【図６】図５のvi-vi線（重畳領域にて切断した）断面図
【図７】図５のvii-vii線（非重畳領域にて切断した）断面図
【図８】液晶表示装置の短辺方向に沿った断面構成を示すものであって、液晶表示装置をなす液晶表示ユニットの各構成部品を組み付ける作業手順を示す断面図
【図９】本発明の実施形態２に係るＬＥＤ、導光板及びＬＥＤ付き信号伝送部材などを重畳領域にて切断した断面図
【図１０】本発明の実施形態３に係るＬＥＤ、導光板及びＬＥＤ付き信号伝送部材などを重畳領域にて切断した断面図
【図１１】本発明の実施形態４に係るＬＥＤ、導光板及びＬＥＤ付き信号伝送部材などを重畳領域にて切断した断面図
【図１２】本発明の実施形態５に係るＬＥＤ、導光板及びＬＥＤ付き信号伝送部材などを重畳領域にて切断した断面図
【図１３】本発明の実施形態６に係る液晶表示装置の短辺方向に沿った断面構成を示すものであって、重畳領域にて切断した断面図
【図１４】液晶表示装置の短辺方向に沿った断面構成を示すものであって、非重畳領域にて切断した断面図
【図１５】本発明の実施形態７に係るＬＥＤ、導光板、ＬＥＤ付き信号伝送部材及び放熱部材などを重畳領域にて切断した断面図
【図１６】ＬＥＤ、導光板、ＬＥＤ付き信号伝送部材及び放熱部材などを非重畳領域にて切断した断面図
【発明を実施するための形態】
【００２２】
＜実施形態１＞
本発明の実施形態１を図１から図８によって説明する。本実施形態では、液晶表示装置１０について例示する。なお、各図面の一部にはＸ軸、Ｙ軸及びＺ軸を示しており、各軸方向が各図面で示した方向となるように描かれている。また、図４に示す上側を表側とし、同図下側を裏側とする。
【００２３】
本実施形態に係るテレビ受信装置ＴＶは、図１に示すように、液晶表示ユニット（表示ユニット）ＬＤＵと、液晶表示ユニットＬＤＵの裏面側（背面側）に取り付けられる各種基板ＰＷＢ，ＭＢ，ＣＴＢと、液晶表示ユニットＬＤＵの裏面側に各種基板ＰＷＢ，ＭＢ，ＣＴＢを覆う形で取り付けられるカバー部材ＣＶと、スタンドＳＴとを備えてなり、スタンドＳＴによって液晶表示ユニットＬＤＵの表示面を鉛直方向（Ｙ軸方向）に沿わせた状態で支持されている。本実施形態に係る液晶表示装置１０は、上記した構成のテレビ受信装置ＴＶから、少なくともテレビ信号を受信するための構成（メイン基板ＭＢのチューナー部など）を除いたものである。液晶表示ユニットＬＤＵは、図３に示すように、全体として横長の方形（矩形状、長手状）をなしており、表示パネルである液晶パネル１１と、外部光源であるバックライト装置（照明装置）１２とを備え、これらが液晶表示装置１０の外観を構成する外観部材であるフレーム（表示面１１ｃ側に配される保持部）１３及びシャーシ（表示面１１ｃ側とは反対側に配される保持部）１４によって一体的に保持された構成となっている。これらフレーム１３及びシャーシ１４が保持部材ＨＭを構成していると言える。なお、本実施形態に係るシャーシ１４は、外観部材及び保持部材ＨＭの一部を構成するとともにバックライト装置１２の一部を構成している。
【００２４】
先に、液晶表示装置１０における裏面側の構成について説明する。液晶表示装置１０における裏側の外観を構成するシャーシ１４の裏面には、図２に示すように、Ｙ軸方向に沿って延在する形態のスタンド取付部材ＳＴＡがＸ軸方向に離間した２位置に一対取り付けられている。これらスタンド取付部材ＳＴＡは、断面形状がシャーシ１４側の面が開口した略チャンネル型をなしており、シャーシ１４との間に保有される空間内にスタンドＳＴにおける一対の支柱部ＳＴｂが差し込まれるようになっている。なお、スタンド取付部材ＳＴＡ内の空間には、バックライト装置１２が有するＬＥＤユニットＬＵに接続された配線部材（電線など）を通すことが可能とされる。スタンドＳＴは、Ｘ軸方向及びＺ軸方向に並行する台座部ＳＴａと、台座部ＳＴａからＹ軸方向に沿って立ち上がる一対の支柱部ＳＴｂとからなる。カバー部材ＣＶは、合成樹脂製とされており、一対のスタンド取付部材ＳＴＡをＸ軸方向について横切りつつもシャーシ１４の裏面における一部、具体的には図２に示す下側約半分程度を覆う形で取り付けられている。このカバー部材ＣＶとシャーシ１４との間には、次述する各種基板ＰＷＢ，ＭＢ，ＣＴＢなどの部品を収容可能な部品収容空間が保有されている。
【００２５】
各種基板ＰＷＢ，ＭＢ，ＣＴＢには、図２に示すように、電源基板ＰＷＢ、メイン基板ＭＢ及びコントロール基板ＣＴＢが含まれている。電源基板ＰＷＢは、当該液晶表示装置１０の電力供給源とも言えるものであり、他の各基板ＭＢ，ＣＴＢ及びバックライト装置１２が有するＬＥＤ１７などに駆動電力を供給することが可能とされる。従って、電源基板ＰＷＢが「ＬＥＤ１７を駆動するＬＥＤ駆動基板（光源駆動基板）」を兼用していると言える。メイン基板ＭＢは、テレビ信号を受信可能チューナー部と、受信したテレビ信号を画像処理する画像処理部（チューナー部共々図示せず）とを少なくとも有しており、処理した画像信号を次述するコントロール基板ＣＴＢへと出力可能とされる。なお、このメイン基板ＭＢは、当該液晶表示装置１０が図示しない外部の画像再生機器に接続されたときには、その画像再生機器からの画像信号が入力されるので、その画像信号を画像処理部にて処理してコントロール基板ＣＴＢへと出力可能とされる。コントロール基板ＣＴＢは、メイン基板ＭＢから入力される画像信号を液晶駆動用の信号に変換し、その変換した液晶駆動用の信号を液晶パネル１１に供給する機能を有する。
【００２６】
液晶表示装置１０を構成する液晶表示ユニットＬＤＵは、図３に示すように、その主要な構成部品が、表側の外観を構成するフレーム（フロントフレーム）１３と、裏側の外観を構成するシャーシ（リアシャーシ）１４との間に保有される空間内に収容されてなるものとされる。フレーム１３及びシャーシ１４内に収容される主要な構成部品には、少なくとも、液晶パネル１１、光学部材１５、導光板１６及びＬＥＤユニット（光源ユニット）ＬＵが含まれている。このうち、液晶パネル１１、光学部材１５及び導光板１６は、相互に積層された状態で、その表側のフレーム１３と裏側のシャーシ１４とによって挟み込まれる形で保持されるようになっている。バックライト装置１２は、光学部材１５、導光板１６、ＬＥＤユニットＬＵ及びシャーシ１４からなるものとされ、上記した液晶表示ユニットＬＤＵから液晶パネル１１及びフレーム１３を除いた構成とされる。バックライト装置１２をなすＬＥＤユニットＬＵは、フレーム１３及びシャーシ１４内において、導光板１６をその短辺方向（Ｙ軸方向）の両側方から挟み込む形で対をなすものが、導光板１６の長辺方向（Ｘ軸方向）について２組並んで配され、合計４つ設置されている。ＬＥＤユニットＬＵは、光源であるＬＥＤ１７と、ＬＥＤ１７が取り付けられるＬＥＤ取付部材（光源取付部材、光源基板）１８とからなる。以下、各構成部品について説明する。
【００２７】
液晶パネル１１は、図３に示すように、平面に視て横長の方形（矩形状、長手状）をなしており、透光性に優れた一対のガラス製の基板１１ａ，１１ｂが所定のギャップを隔てた状態で貼り合わせられるとともに、両基板１１ａ，１１ｂ間に液晶が封入された構成とされる。一対の基板１１ａ，１１ｂのうち表側（正面側）がＣＦ基板１１ａとされ、裏側（背面側）がアレイ基板１１ｂとされる。このうち、アレイ基板１１ｂには、互いに直交するソース配線とゲート配線とに接続されたスイッチング素子（例えばＴＦＴ）と、そのスイッチング素子に接続された画素電極、さらには配向膜等が設けられている。一方、ＣＦ基板１１ａには、Ｒ（赤色），Ｇ（緑色），Ｂ（青色）等の各着色部が所定配列で配置されたカラーフィルタや対向電極、さらには配向膜等が設けられている。なお、両基板１１ａ，１１ｂの外側にはそれぞれ偏光板（図示は省略する）が配されている。
【００２８】
液晶パネル１１を構成する一対の基板１１ａ，１１ｂのうち、アレイ基板１１ｂは、図４に示すように、平面に視た大きさがＣＦ基板１１ａよりも大きく形成されており、その端部がＣＦ基板１１ａよりも外側に突き出す形で配されている。アレイ基板１１ｂにおける一対の長辺側端部のうち、Ｙ軸方向についてコントロール基板ＣＴＢ側の長辺側端部（図４に示す左側端部）には、上記したゲート配線及びソース配線から引き回された端子部が複数設けられており、これらの各端子部には、図２及び図４に示すように、液晶駆動用のドライバＤＲが実装されたフレキシブル基板（ＦＰＣ基板）２２が接続されている。フレキシブル基板２２は、Ｘ軸方向、つまりアレイ基板１１ｂの長辺側端部に沿う方向について複数が間欠的に並んで配されており、アレイ基板１１ｂの長辺側端部からＹ軸方向に沿って外向きに延出している。フレキシブル基板２２は、絶縁性及び可撓性を有する合成樹脂材料（例えばポリイミド系樹脂等）からなるフィルム状の基材を備え、その基材上に多数本の配線パターン（図示せず）を有するとともに、その配線パターンが基材における中央付近に実装されたドライバＤＲに接続されている。フレキシブル基板２２は、その一方の端部がアレイ基板１１ｂの端子部に対して、他方の端部が詳しくは後述するＬＥＤ付き信号伝送部材２６が有する端子部に対してそれぞれ異方性導電膜（ＡＣＦ）を介して圧着接続されている。このＬＥＤ付き信号伝送部材２６は、図示しない配線部材（可撓性を有する配線部材であるＦＰＣなど）を介して上記したコントロール基板ＣＴＢに接続されており、コントロール基板ＣＴＢから入力される信号を、フレキシブル基板２２に伝送することが可能とされている。これにより、液晶パネル１１は、コントロール基板ＣＴＢから入力される信号に基づいてその表示面１１ｃに画像が表示されるようになっている。なお、シャーシ１４には、上記した配線部材をシャーシ１４の裏側外部に引き出すための配線挿通孔（図示せず）が形成されている。
【００２９】
この液晶パネル１１は、図４に示すように、次述する光学部材１５の表側（光出射側）に積層する形で載せられており、その裏側の面（裏側の偏光板の外面）が光学部材１５に対して殆ど隙間無く密着している。これにより、液晶パネル１１と光学部材１５との間に塵埃などが侵入するのが防がれている。液晶パネル１１における表示面１１ｃは、画面中央側にあって画像が表示可能な表示領域と、画面外周端側にあって表示領域の周りを取り囲む枠状（額縁状）をなす非表示領域とからなる。なお、上記した端子部及びフレキシブル基板２２は、非表示領域に配されている。
【００３０】
光学部材１５は、図３に示すように、液晶パネル１１と同様に平面に視て横長の方形状をなしており、その大きさ（短辺寸法及び長辺寸法）が液晶パネル１１と同等とされる。光学部材１５は、次述する導光板１６の表側（光出射側）に積層する形で載せられていて上記した液晶パネル１１と導光板１６との間に挟み込まれた状態で配されている。光学部材１５は、いずれもシート状をなすとともに３枚が積層して配されている。具体的な光学部材１５の種類としては、例えば拡散シート、レンズシート、反射型偏光シートなどがあり、これらの中から適宜に選択して使用することが可能である。
【００３１】
導光板１６は、屈折率が空気よりも十分に高く且つほぼ透明な（透光性に優れた）合成樹脂材料（例えばＰＭＭＡなどのアクリル樹脂やポリカーボネートなど）からなる。導光板１６は、図３に示すように、液晶パネル１１及び光学部材１５と同様に平面に視て横長の方形状をなすとともに光学部材１５よりも厚みが大きな板状をなしており、その主面における長辺方向がＸ軸方向と、短辺方向がＹ軸方向とそれぞれ一致し、且つ主面と直交する板厚方向がＺ軸方向と一致している。導光板１６は、光学部材１５の裏側に積層していて光学部材１５とシャーシ１４との間に挟み込まれるよう配されている。導光板１６は、図４に示すように、少なくともその短辺寸法が、液晶パネル１１及び光学部材１５の各短辺寸法よりも大きくなっており、短辺方向についての両端部（長辺方向に沿った両端部）が液晶パネル１１及び光学部材１５における両端部よりも外向きに突き出して（平面に視て非重畳となるよう）配されている。この導光板１６は、その短辺方向の両側方に分けて配された対をなすＬＥＤユニットＬＵによってＹ軸方向について挟み込まれる形で配されており、短辺方向についての両端部にＬＥＤ１７からの光がそれぞれ導入されるようになっている。そして、この導光板１６は、その短辺方向についての両端部から導入したＬＥＤ１７からの光を内部で伝播させつつ光学部材１５側（表側）へ向くよう立ち上げて出射させる機能を有する。
【００３２】
この導光板１６の主面のうち、表側を向いた面（光学部材１５との対向面）が内部の光を光学部材１５及び液晶パネル１１に向けて出射させる光出射面１６ａとなっている。導光板１６における主面に対して隣り合う外周端面のうち、Ｘ軸方向に沿って長手状をなす長辺側の両端面（短辺方向についての両端部が有する両端面）は、それぞれＬＥＤ１７（ＬＥＤ取付部材１８）と所定の空間を空けて正対する形で対向状をなしており、これらがＬＥＤ１７から発せられた光が入射される一対の光入射面１６ｂとなっている。この光入射面１６ｂは、Ｘ軸方向及びＺ軸方向（ＬＥＤ取付部材１８の主板面）に沿って並行する面とされ、光出射面１６ａに対して略直交する面とされる。また、ＬＥＤ１７と光入射面１６ｂとの並び方向は、Ｙ軸方向と一致しており、光出射面１６ａに並行している。
【００３３】
導光板１６における裏側、つまり光出射面１６ａとは反対側の面（シャーシ１４との対向面）１６ｃには、図４に示すように、その面１６ｃから裏側外部に出射した光を反射して表側へ立ち上げることが可能な導光反射シート２０がそのほぼ全域を覆う形で設けられている。言い換えると、導光反射シート２０は、シャーシ１４と導光板１６との間に挟まれた形で配されている。この導光反射シート２０は、合成樹脂製とされ、表面が光の反射性に優れた白色を呈するものとされる。導光反射シート２０は、その短辺寸法が導光板１６の短辺寸法よりも大きくなっており、その両端部が導光板１６の光入射面１６ｂよりもＬＥＤ１７寄りに突き出して配されている。この導光反射シート２０における突出部位によってＬＥＤ１７からシャーシ１４側に向けて斜めに進行する光を効率的に反射して、導光板１６の光入射面１６ｂへと向かわせることが可能とされている。なお、導光板１６における光出射面１６ａまたはその反対側の面１６ｃの少なくともいずれか一方には、内部の光を反射させる反射部（図示せず）または内部の光を散乱させる散乱部（図示せず）が所定の面内分布を持つようパターニングされており、それにより光出射面１６ａからの出射光が面内において均一な分布となるよう制御されている。
【００３４】
次に、ＬＥＤユニットＬＵをなすＬＥＤ１７及びＬＥＤ取付部材１８の構成について順次に説明する。ＬＥＤユニットＬＵをなすＬＥＤ１７は、図４に示すように、ＬＥＤ取付部材１８に固着される基板部上にＬＥＤチップを樹脂材により封止した構成とされる。基板部に実装されるＬＥＤチップは、主発光波長が１種類とされ、具体的には、青色を単色発光するものが用いられている。その一方、ＬＥＤチップを封止する樹脂材には、ＬＥＤチップから発せられた青色の光により励起されて所定の色を発光する蛍光体が分散配合されており、全体として概ね白色光を発するものとされる。なお、蛍光体としては、例えば黄色光を発光する黄色蛍光体、緑色光を発光する緑色蛍光体、及び赤色光を発光する赤色蛍光体の中から適宜組み合わせて用いたり、またはいずれか１つを単独で用いることができる。このＬＥＤ１７は、ＬＥＤ取付部材１８に対する実装面とは反対側の面（導光板１６の光入射面１６ｂと正対する対向面）が主発光面１７ａとなる、いわゆる頂面発光型とされている。
【００３５】
ＬＥＤユニットＬＵをなすＬＥＤ取付部材１８は、図３及び図４に示すように、導光板１６の長辺方向（Ｘ軸方向、光入射面１６ｂの長手方向）に沿って延在する細長い略板状をなしており、その主面（板面）をＸ軸方向及びＺ軸方向に並行した姿勢、つまり導光板１６の光入射面１６ｂに並行した姿勢でフレーム１３及びシャーシ１４内に収容されている。ＬＥＤ取付部材１８は、その長さ寸法が導光板１６の長辺寸法の概ね半分程度の大きさとされている。ＬＥＤ取付部材１８のうち内側、つまり導光板１６側を向いた面（導光板１６との対向面）には、上記した構成のＬＥＤ１７が実装されており、ここが実装面１８ａとされる。ＬＥＤ１７は、ＬＥＤ取付部材１８の実装面１８ａにおいて、その長さ方向（Ｘ軸方向）に沿って複数が所定の間隔を空けつつ一列に（直線的に）並列配置されている。つまり、ＬＥＤ１７は、バックライト装置１２における長辺側の両端部においてそれぞれ長辺方向に沿って複数ずつ間欠的に並列配置されていると言える。Ｘ軸方向について隣り合うＬＥＤ１７間の間隔、つまりＬＥＤ１７の配列ピッチは、ほぼ等しいものとされる。なお、ＬＥＤ１７の並び方向は、ＬＥＤ取付部材１８の長さ方向（Ｘ軸方向）と一致していることになる。ＬＥＤ取付部材１８の実装面１８ａには、Ｘ軸方向に沿って延在するとともにＬＥＤ１７群を横切って隣り合うＬＥＤ１７同士を直列接続する、金属膜（銅箔など）からなる配線パターン（図示せず）が形成されており、この配線パターンの両端部に形成された端子部が、コネクタや電線などの配線部材を介して電源基板ＰＷＢに接続されることで、各ＬＥＤ１７に駆動電力が供給されるようになっている。導光板１６を挟んで対をなすＬＥＤ取付部材１８は、ＬＥＤ１７の実装面１８ａが互いに対向状をなす姿勢でフレーム１３及びシャーシ１４内に収容されるので、対をなすＬＥＤ取付部材１８にそれぞれ実装された各ＬＥＤ１７の主発光面１７ａが対向状をなすとともに、各ＬＥＤ１７における光軸がＹ軸方向とほぼ一致する。
【００３６】
続いて、外観部材及び保持部材ＨＭをなすフレーム１３及びシャーシ１４の構成について説明する。フレーム１３及びシャーシ１４は、いずれも例えばアルミニウムなどの金属製とされており、仮に合成樹脂製とした場合に比べると、機械的強度（剛性）及び熱伝導性がいずれも高くなっている。これらフレーム１３及びシャーシ１４は、図３に示すように、その短辺方向についての両端部（両長辺側端部）に一対のＬＥＤユニットＬＵを収容しつつも、互いに積層配置された液晶パネル１１、光学部材１５及び導光板１６を表側と裏側とから挟み込む形で保持するものとされる。
【００３７】
フレーム１３は、図３に示すように、液晶パネル１１の表示面１１ｃにおける表示領域を取り囲むよう、全体として横長の枠状をなしている。フレーム１３は、液晶パネル１１の表示面１１ｃに並行するとともに液晶パネル１１を表側から押さえるパネル押さえ部１３ａと、パネル押さえ部１３ａの外縁部から裏側に向けて突出する側壁部１３ｂとからなり、断面形状が略Ｌ字型となっている。パネル押さえ部１３ａは、液晶パネル１１の外周縁部（非表示領域、額縁部分）に倣って横長の枠状をなすとともに液晶パネル１１の外周縁部をほぼ全周にわたって表側から押さえることが可能とされる。パネル押さえ部１３ａは、液晶パネル１１の外周縁部に加えて、液晶パネル１１の両長辺側端部よりもＹ軸方向について外側に配される導光板１６の両長辺側端部、及び両ＬＥＤユニットＬＵをも表側から覆うことが可能な幅を有している。パネル押さえ部１３ａのうち表側を向いた外面（液晶パネル１１に対する対向面とは反対側の面）は、液晶パネル１１の表示面１１ｃと同じく液晶表示装置１０における表側外部に露出しており、液晶パネル１１の表示面１１ｃと共に液晶表示装置１０の正面を構成している。一方、側壁部１３ｂは、パネル押さえ部１３ａにおける外周縁部から裏側に向けて立ち上がる略角筒状をなしている。側壁部１３ｂは、内部に収容される液晶パネル１１、光学部材１５、導光板１６及びＬＥＤユニットＬＵを全周にわたって取り囲むとともに、裏側のシャーシ１４をもほぼ全周にわたって取り囲むことが可能とされる。側壁部１３ｂは、液晶表示装置１０における周方向に沿った外面が、液晶表示装置１０における周方向外部に露出しており、液晶表示装置１０における天面、底面、両側面を構成している。
【００３８】
横長な枠状をなすパネル押さえ部１３ａにおける一対の長辺部分のうち側壁部１３ｂよりも内寄り（導光板１６寄り）の位置には、図４に示すように、ＬＥＤユニットＬＵ及びシャーシ１４がそれぞれ取り付けられる取付部２１がそれぞれ一体形成されている。取付部２１は、パネル押さえ部１３ａの両長辺部分からＺ軸方向に沿って裏側に向けてそれぞれ突出するとともに、その長辺方向（Ｘ軸方向）に沿って延在する横長な略ブロック状をなしている。取付部２１は、Ｙ軸方向について、フレーム１３の側壁部１３ｂとＬＥＤユニットＬＵとの間に介在する形で配されており、言い換えるとＬＥＤユニットＬＵをなすＬＥＤ取付部材１８に対して導光板１６側とは反対側に配されている。取付部２１における内側、つまり導光板１６側を向いた側面には、ＬＥＤユニットＬＵをなすＬＥＤ取付部材１８が取り付けられている。ＬＥＤ取付部材１８は、導光板１６側を向いた面（実装面１８ａ）とは反対側の面が、取付部２１の側面のうちの導光板１６と対向状をなす部分に当接した状態でビス（固定部材）Ｂによって取り付け状態に固定されている。この取付部２１は、Ｚ軸方向について、フレーム１３のパネル押さえ部１３ａとシャーシ１４との間に介在する形で配されている。取付部２１には、裏側に向けて開口するとともにシャーシ１４を取り付けるためのネジ部材（固定部材）ＳＭを締め付け可能な溝部２１ａが形成されている。溝部２１ａは、取付部２１における長手方向（Ｘ軸方向）に沿ってほぼ全長にわたって形成されている。なお、図示は省略するが、上記と同様に溝部２１ａを有する取付部２１は、パネル押さえ部１３ａにおける一対の短辺部分にもそれぞれ設けられており、その取付部２１の溝部２１ａに締め付けられるネジ部材ＳＭによってシャーシ１４を固定することが可能とされる。
【００３９】
パネル押さえ部１３ａにおける内縁部には、図４に示すように、裏側、つまり液晶パネル１１側に突出する押さえ突起２４が一体形成されている。押さえ突起２４は、その突出先端面に緩衝材２４ａが取り付けられており、この緩衝材２４ａを介して液晶パネル１１を表側から押さえることが可能とされている。押さえ突起２４は、パネル押さえ部１３ａにおける両長辺部分及び両短辺部分にそれぞれ設けられている。
【００４０】
シャーシ１４は、図３に示すように、導光板１６及びＬＥＤユニットＬＵなどを裏側からほぼ全域にわたって覆うよう、全体として横長な略浅皿状をなしている。このシャーシ１４のうち裏側を向いた外面（導光板１６及びＬＥＤユニットＬＵに対する対向面とは反対側の面）は、液晶表示装置１０における裏側外部に露出していて液晶表示装置１０の背面を構成している。シャーシ１４は、導光板１６と同様に横長の方形状をなす底板部１４ａと、底板部１４ａにおける両長辺側端部からそれぞれ裏側に段差状に突出するとともにＬＥＤユニットＬＵを収容する一対のＬＥＤ収容部（光源収容部）１４ｂとから構成されている。底板部１４ａは、導光板１６における短辺方向についての中央側の大部分（短辺方向についての両先端部分を除いた部分）を裏側から受けることが可能な平板状をなしており、導光板１６に対する受け部を構成していると言える。
【００４１】
ＬＥＤ収容部１４ｂは、図３及び図４に示すように、底板部１４ａをその短辺方向の両側から挟み込む形で配されるとともに、底板部１４ａよりも一段裏側に引っ込むことで、ＬＥＤユニットＬＵを収容可能とされる。ＬＥＤ収容部１４ｂは、底板部１４ａに並行する収容底板部１４ｂ１と、収容底板部１４ｂ１の両端部から表側に向けてそれぞれ立ち上がる一対の収容側板部１４ｂ２とから構成され、一対の収容側板部１４ｂ２のうちの内側の収容側板部１４ｂ２が底板部１４ａに連なっている。一対の収容側板部１４ｂ２のうちの外側の収容側板部１４ｂ２は、フレーム１３における取付部２１と側壁部１３ｂとの間に挿入されており、それによりフレーム１３に対してシャーシ１４をＹ軸方向について位置決めを図ることが可能とされる。収容底板部１４ｂ１には、取付部２１における突出先端面が当接されるとともに、収容底板部１４ｂ１を取付部２１に対して取付状態に保持するためのネジ部材ＳＭを通す挿通孔２５が開口形成されている。挿通孔２５は、取付部２１の溝部２１ａに連通する位置に配されている。なお、上記と同様の構造の挿通孔２５は、図３に示すように、シャーシ１４の底板部１４ａにおける一対の短辺側の端部にもそれぞれ設けられており、そこに通されるネジ部材ＳＭを、フレーム１３のパネル押さえ部１３ａにおける短辺部分に配された取付部２１に締め付けることが可能とされる。
【００４２】
ところで、本実施形態に係る液晶表示装置１０では、液晶パネル１１、光学部材１５及び導光板１６が直接重ね合わせられており、従来のように液晶パネル及びその端部に接続されたフレキシブル基板と、導光板及びその端面と対向状に配されるＬＥＤとの間にパネル受け部材が介在する構成とはなっていない。従って、この液晶表示装置１０では、ＬＥＤ１７とフレキシブル基板２２とが、フレーム１３とシャーシ１４との間に有される同じ空間に配されているため、仮にＬＥＤ１７をＬＥＤ基板に実装したり、ＬＥＤ基板を放熱部材に取り付ける、といった構成を採用すると、フレキシブル基板２２がそれらのＬＥＤ基板や放熱部材に干渉するおそれがある。より具体的には、フレキシブル基板２２の一端側を液晶パネル１１の端部に、他端側を信号伝送専用のプリント基板に接続し、それら液晶パネル１１の端部とプリント基板との間にＬＥＤ基板や放熱部材が介在する配置構成を採った場合には、フレキシブル基板２２がＬＥＤ基板や放熱部材のエッジ部分に干渉し、フレキシブル基板２２に損傷が生じるおそれがある。そうなると、フレキシブル基板２２の配線（例えば液晶パネル１１に共通電位Ｖｃｏｍを供給する配線など）が他の金属部材にショートするなどして正常な信号（電位）を液晶パネル１１に供給できなくなり、結果として画像の階調が乱れるなどの表示不良が生じるおそれがあった。
【００４３】
そこで、本実施形態では、図３及び図４に示すように、導光板１６を挟んで対をなす形で配されるＬＥＤユニットＬＵを構成するＬＥＤ取付部材１８のうち、フレキシブル基板２２側（図３に示す手前側、図４に示す左側）に配されるＬＥＤ取付部材１８を、ＬＥＤ１７が取り付けられるのに加えて、フレキシブル基板２２が接続されるＬＥＤ付き信号伝送部材（光源付き信号伝送部材）２６としている。このＬＥＤ付き信号伝送部材２６は、ＬＥＤ１７を保持するとともにＬＥＤ１７に駆動電力を供給する機能（ＬＥＤ取付部材１８としての機能）と、コントロール基板ＣＴＢからの信号をフレキシブル基板２２に伝送する信号伝送機能（信号伝送部材としての機能）とを併せ持っている。従って、一端側が液晶パネル１１の長辺側の端部に、他端側がＬＥＤ付き信号伝送部材２６にそれぞれ接続されるフレキシブル基板２２は、Ｙ軸方向に沿って液晶パネル１１の端部とＬＥＤ付き信号伝送部材２６とを架け渡す形で配されており、これらの間に他の部材が介在しない配置構成とされていることから、フレキシブル基板２２が他の部材に干渉するのを回避することができる。従って、フレキシブル基板２２に損傷などが生じるのを防ぐことができ、もって液晶パネル１１の表示品位を安定的に良好なものとすることができるのである。続いて、ＬＥＤ付き信号伝送部材２６の詳しい構造について説明する。
【００４４】
ＬＥＤ付き信号伝送部材２６における内側を向いた面、つまり導光板１６との対向面には、図５及び図６に示すように、凹状部２７が形成されている。凹状部２７は、Ｘ軸方向、つまりＬＥＤ１７の並び方向に沿って延在する溝状に形成されており、その奥壁面が各ＬＥＤ１７が実装されるとともにＬＥＤ用の配線パターン（図示せず）が形成される実装面１８ａとなっている。各ＬＥＤ１７は、この凹状部２７内に収容される形で取り付けられていると言える。この凹状部２７の凹み深さ寸法は、実装面１８ａからのＬＥＤ１７の突出高さ寸法よりも大きなものとされ、ＬＥＤ１７の主発光面１７ａが凹状部２７内に引っ込む形で配されている。そして、この凹状部２７には、導光板１６のうち光入射面１６ｂを有する長辺側の端部が差し込まれており、光入射面１６ｂとＬＥＤ１７の主発光面１７ａとの間に所定の間隔が保たれている。これにより、ＬＥＤ１７の主発光面１７ａと導光板１６の光入射面１６ｂとの間の距離が短くなり、ＬＥＤ１７から導光板１６の光入射面１６ｂに入射する光の入射効率が高いものとされる。しかも、上記距離が短くなることで、液晶表示装置１０の額縁部分を狭くすることができる。なお、導光板１６の長辺方向（Ｘ軸方向）に沿って並んで配される一対のＬＥＤ付き信号伝送部材２６にそれぞれ形成された凹状部２７は、図３に示すように、各ＬＥＤ付き信号伝送部材２６において、Ｘ軸方向に沿って導光板１６の中央側に向けて開口することで導光板１６の長辺側の端部の差し込みを許容しているものの、導光板１６の端側に向けては開口せずに閉じた形状とされている。
【００４５】
ＬＥＤ付き信号伝送部材２６において凹状部２７を構成する壁部は、図３及び図６に示すように、凹状部２７の長さ方向に沿って延在する一対の長辺側壁部２７ａ，２７ｂと、各ＬＥＤ付き信号伝送部材２６においてＸ軸方向について導光板１６の端側に配される１つの短辺側壁部２７ｃとから構成される。一対の長辺側壁部２７ａ，２７ｂのうち一方の長辺側壁部２７ａは、ＬＥＤ１７及び凹状部２７に差し込まれた導光板１６に対して表側（表示面１１ｃ側、フレーム１３及び液晶パネル１１側）に配されるのに対し、他方の長辺側壁部２７ｂは、ＬＥＤ１７及び導光板１６に対して裏側（表示面１１ｃ側とは反対側、シャーシ１４側）に配されている。従って、一対の長辺側壁部２７ａ，２７ｂは、ＬＥＤ１７及び導光板１６の光入射面１６ｂを有する端部（長辺側の端部）を表側と裏側とから挟み込む配置とされている。これにより、ＬＥＤ１７からの光が両長辺側壁部２７ａ，２７ｂの外部の漏れ出すのを規制することができ、もって光入射面１６ｂへの光の入射効率を高いものとすることができる。特に、ＬＥＤ１７及び導光板１６に対して表側に配される長辺側壁部２７ａは、ＬＥＤ１７と液晶パネル１１の長辺側の端部との間に介在する配置構成とされており、それによりＬＥＤ１７からの光が導光板１６を介することなく直接液晶パネル１１の端部に入射するのを遮る遮光部２８として機能するものとされる。続いて、遮光部２８について詳しく説明する。
【００４６】
遮光部２８は、図６に示すように、ＬＥＤ付き信号伝送部材２６のうちＬＥＤ１７の実装面１８ａ（凹状部２７の奥壁面）からＹ軸方向に沿って内側、つまり導光板１６側に向けて突出する形態とされており、その突出先端部が導光板１６１６の光入射面１６ｂを超える位置に達するものとされる。これにより、ＬＥＤ１７からの光が遮光部２８よりも表側に漏れ出すのをより確実に防ぐことができ、それにより液晶パネル１１の端部への直接の入光をより確実に防止することができるとともに導光板１６の光入射面１６ｂへの光の入射効率をより高めることができる。さらには、この遮光部２８は、図５から図７に示すように、フレキシブル基板２２と平面に視て重畳する重畳領域ＬＡと、フレキシブル基板２２と平面に視て重畳しない非重畳領域ＮＬＡとに跨る形で配されている。これにより、フレキシブル基板２２の配置の有無に拘わらず、液晶パネル１１及び光学部材１５の長辺側端部のほぼ全域にわたってＬＥＤ１７からの光が直接入射するのを遮ることが可能とされており、高い遮光性能が得られるものとされる。なお、遮光部２８に対してＬＥＤ１７及び導光板１６を挟んで裏側に配される長辺側壁部２７ｂについても、上記した遮光部２８と同様の構成を有しており、それによりＬＥＤ１７からの光が長辺側壁部２７ｂよりも裏側に漏れ出す事態をより確実に防止して導光板１６の光入射面１６ｂに対する光の入射効率をより高いものとすることができる。また、この裏側の長辺側壁部２７ｂは、図６に示すように、シャーシ１４におけるＬＥＤ収容部１４ｂ内に配されるとともにその内側の収容側板部１４ｂ２と対向状をなしているが、これら裏側の長辺側壁部２７ｂと内側の収容側板部１４ｂ２との間には、緩衝材２９が介設されている。また、ＬＥＤ付き信号伝送部材２６を取付部２１に固定するためのビスＢは、ＬＥＤ付き信号伝送部材２６のうち裏側の長辺側壁部２７ｂよりもさらに裏側に配される部分に対して締め付けられている。
【００４７】
ＬＥＤ付き信号伝送部材２６のうち凹状部２７の形成面とは反対側の面、つまり取付部２１との対向面には、図６に示すように、フレキシブル基板２２における液晶パネル１１側とは反対側の端部を収容しつつその接続を図るためのフレキシブル基板接続凹部３０が形成されている。フレキシブル基板接続凹部３０は、ＬＥＤ付き信号伝送部材２６における取付部２１との対向面のうち、Ｚ軸方向について表側の端部を凹ませる形で形成されており、ＬＥＤ付き信号伝送部材２６の全長にわたってＸ軸方向に沿って延在する溝状をなしている。フレキシブル基板接続凹部３０に収容されたフレキシブル基板２２の端部は、Ｙ軸方向について突出部２１とＬＥＤ付き信号伝送部材２６との間に挟み込まれる形で配される。フレキシブル基板接続凹部３０におけるフレキシブル基板２２が接続される壁面には、フレキシブル基板２２に信号を伝送するための信号用の配線パターン（図示せず）が形成されている。なお、ＬＥＤ付き信号伝送部材２６には、上記した信号用の配線パターンの端部に位置してコネクタ（図示せず）が形成されており、このコネクタに一端側がコントロール基板ＣＴＢに接続された配線部材の他端側が接続されることで、コントロール基板ＣＴＢからの信号を、信号用の配線パターンを介してフレキシブル基板２２に伝送することが可能とされている。
【００４８】
なお、上記した構成のＬＥＤ付き信号伝送部材２６は、その基材が例えばアルミニウムなどの金属製とされ、その表面に絶縁層を介してＬＥＤ１７に接続されるＬＥＤ用の配線パターン（図示せず）、及びフレキシブル基板２２に接続される信号用の配線パターン（図示せず）がそれぞれ形成されている。このＬＥＤ付き信号伝送部材２６の基材に用いる材料としては、セラミックなどの絶縁材料を用いることも可能である。
【００４９】
また、導光板１６を挟んで対をなすＬＥＤ取付部材１８のうち、上記したフレキシブル基板２２とは反対側（図３に示す奥側、図４に示す右側）に配されるＬＥＤ取付部材１８としては、フレキシブル基板２２には接続されないものの上記したＬＥＤ付き信号伝送部材２６と同一部品のものが用いられている。従って、フレキシブル基板２２とは反対側に配されるＬＥＤ取付部材１８は、上記した凹状部２７（各壁部２７ａ〜２７ｃを含む）、遮光部２８及び緩衝材２９などを有しており、上記と同様の作用及び効果が得られるものとされる。これにより、部品の品種を削減することができ、製造コストの低廉化に寄与することができる。
【００５０】
本実施形態は以上のような構造であり、続いてその作用を説明する。液晶表示装置１０を製造するには、それぞれ別途に製造した各構成部品（フレーム１３、シャーシ１４、液晶パネル１１、光学部材１５、導光板１６、ＬＥＤユニットＬＵ（ＬＥＤ取付部材１８、ＬＥＤ付き信号伝送部材２６）など）を相互に組み付けるようにして行う。組み付けに際しては、各構成部品は、その全てが図４に示す姿勢とはＺ軸方向について天地反転させた姿勢でもって組み付けられる。まず、図８に示すように、構成部品のうちのフレーム１３を、その裏側の面が鉛直方向の上側を向く姿勢としつつ図示しない作業台上にセットする。なお、フレーム１３には予め緩衝材２４ａが取り付けられている。
【００５１】
上記した姿勢でセットされたフレーム１３に対して液晶パネル１１を、図８に示すように、そのＣＦ基板１１ａが鉛直方向の下側に、アレイ基板１１ｂが鉛直方向の上側になる姿勢としつつ組み付ける。この液晶パネル１１は、予めフレキシブル基板２２及びＬＥＤ付き信号伝送部材２６（ＬＥＤ取付部材１８、ＬＥＤユニットＬＵ）が接続された状態で組み付けに供されている。なお、ＬＥＤ付き信号伝送部材２６は、予めＬＥＤ１７が実装されていてＬＥＤユニットＬＵを構成している。液晶パネル１１及びＬＥＤ付き信号伝送部材２６の組み付けに際しては、ＬＥＤ付き信号伝送部材２６を、その板面が長辺側の取付部２１の内側を向いた側面に並行する姿勢とし、それに伴いフレキシブル基板２２が途中で略Ｌ字型に屈曲される。ＬＥＤ付き信号伝送部材２６は、その外側を向いた板面（フレキシブル基板接続凹部３０の形成面）を長辺側の取付部２１の内側を向いた側面に当接させた状態で、ビスＢによって取付部２１に対して固定される。一方、液晶パネル１１は、その表側の面がフレーム１３における押さえ突起２４に取り付けられた緩衝材２４ａによって受けられることで緩衝が図られる。続いて、各光学部材１５を順次に液晶パネル１１の裏側の面上に直接積層配置する。
【００５２】
ここで、仮にＬＥＤ付き信号伝送部材２６に代えて信号伝送専用のプリント基板を用いるとともに、ＬＥＤ１７の取り付け専用のＬＥＤ基板及びそのＬＥＤ基板を取り付ける放熱部材を用いるようにし、フレキシブル基板２２の一端側を液晶パネル１１の端部に、他端側をプリント基板に接続し、それら液晶パネル１１の端部とプリント基板との間にＬＥＤ基板や放熱部材が介在する配置構成を採った場合には、上記した組付作業を行う際にフレキシブル基板２２がＬＥＤ基板や放熱部材のエッジ部分に干渉してしまい、フレキシブル基板２２に損傷が生じることが懸念される。その点、本実施形態では、ＬＥＤ付き信号伝送部材２６に、ＬＥＤ１７に駆動電力を供給する機能（ＬＥＤ取付部材１８としての機能）と、コントロール基板ＣＴＢからの信号をフレキシブル基板２２に伝送する信号伝送機能（信号伝送部材としての機能）とを併せ持たせるようにしており、それによりフレキシブル基板２２の配索経路には、Ｙ軸方向についてＬＥＤ付き信号伝送部材２６と液晶パネル１１の端部との間に他の部材が介在しない配置構成とされる。従って、組み付けに際してフレキシブル基板２２が他の部材に干渉することが避けられるので、フレキシブル基板２２に損傷などが生じるのが防止されるのである。
【００５３】
一方、フレーム１３における長辺側の各取付部２１のうち、ＬＥＤ付き信号伝送部材２６が取り付けられた取付部２１とは反対側の取付部２１に対して、ＬＥＤ取付部材１８（ＬＥＤユニットＬＵ）を取り付ける作業を行う（図４を参照）。このＬＥＤ取付部材１８は、予めＬＥＤ１７が実装されていてＬＥＤユニットＬＵを構成している。ＬＥＤ取付部材１８は、その外側を向いた板面を長辺側の取付部２１の内側を向いた側面に当接させた状態で、ビスＢによって取付部２１に対して固定される。なお、このＬＥＤ取付部材１８の取り付け作業は、液晶パネル１１及びＬＥＤ付き信号伝送部材２６の取り付け作業に先立って行うことも可能であり、また液晶パネル１１及びＬＥＤ付き信号伝送部材２６を取り付けてから、各光学部材１５を積層配置するまでの間に行うことも可能である。
【００５４】
次に、図８に示すように、導光板１６を最も裏側に配される光学部材１５の裏側の面上に直接積層配置する作業を行う。このとき、導光板１６のうち光入射面１６ｂを有する両長辺側端部を、それぞれＬＥＤ付き信号伝送部材２６及びその反対側に配されるＬＥＤ取付部材１８の各凹状部２７内に差し込むようにする。これにより、ＬＥＤ１７の主発光面１７ａから導光板１６の光入射面１６ｂまでの距離が十分に短いものとされるとともに、凹状部２７を構成する両長辺側壁部２７ａ，２７ｂの間に導光板１６の光入射面１６ｂを有する長辺側の端部が挟み込まれる。このとき、表側に配される長辺側壁部２７ａである遮光部２８は、ＬＥＤ１７と液晶パネル１１の長辺側の端部との間に介在する形で配されることになる。その後、導光反射シート２０を導光板１６の光出射面１６ａとは反対側の面１６ｃ上に直接積層配置する。
【００５５】
上記のようにしてフレーム１３に対して液晶パネル１１、光学部材１５、導光板１６、ＬＥＤ取付部材１８（ＬＥＤユニットＬＵ）及びＬＥＤ付き信号伝送部材２６（ＬＥＤユニットＬＵ）を組み付けたら、続いてシャーシ１４を組み付ける作業を行う。シャーシ１４は、図８に示すように、その表側の面が鉛直方向の下側を向く姿勢とされた状態で、フレーム１３に対して組み付けられる。このとき、シャーシ１４のうち両ＬＥＤ収容部１４ｂにおける外側の各収容側板部１４ｂ２を、フレーム１３における両長辺側の側壁部１３ｂと取付部２１との間に挿入することで、フレーム１３に対するシャーシ１４の位置決めが図られる。シャーシ１４のうち底板部１４ａが導光板１６（導光反射シート２０）に、各ＬＥＤ収容部１４ｂの収容底板部１４ｂ１が取付部２１にそれぞれ当接されたところで、各挿通孔２５にネジ部材ＳＭを通し、そのネジ部材ＳＭを取付部２１の溝部２１ａに螺合させる。このネジ部材ＳＭによってシャーシ１４が取付部２１に対して取り付け状態に保持される（図５を参照）。
【００５６】
以上のようにして液晶表示ユニットＬＤＵの組み付けが完了する。その後、液晶表示ユニットＬＤＵに対してその裏面側にスタンド取付部材ＳＴＡ及び各種基板ＰＷＢ，ＭＢ，ＣＴＢを組み付けた後に、スタンドＳＴ及びカバー部材ＣＶを組み付けることで、液晶表示装置１０及びテレビ受信装置ＴＶが製造される。このようにして製造された液晶表示装置１０は、液晶パネル１１を表示面１１ｃ側から押さえるフレーム１３、及びバックライト装置１２を構成するシャーシ１４がそれぞれ外観を構成しているのに加え、液晶パネル１１と光学部材１５とが直接積層されているので、従来のようにフレーム１３及びシャーシ１４とは別途に合成樹脂製のキャビネットや、液晶パネル１１と光学部材１５との間に介在して両者を非接触となるように保つパネル受け部材を有するものに比べると、部品点数及び組付工数が削減されることで製造コストが低廉化するとともに、薄型化及び軽量化が図られている。
【００５７】
上記のようにして製造された液晶表示装置１０の電源をＯＮすると、図４に示すように、電源基板ＰＷＢからの電力供給を受けて、コントロール基板ＣＴＢから各種信号がＬＥＤ付き信号伝送部材２６及びフレキシブル基板２２（ドライバＤＲ）を介して液晶パネル１１に供給されてその駆動が制御されるとともに、バックライト装置１２を構成するＬＥＤ取付部材１８及びＬＥＤ付き信号伝送部材２６が有する各ＬＥＤ１７が駆動される。各ＬＥＤ１７からの光は、導光板１６により導光されてから光学部材１５を透過することで、均一な面状の光に変換されてから液晶パネル１１に照射され、もって液晶パネル１１に所定の画像が表示される。バックライト装置１２に係る作用について詳しく説明すると、各ＬＥＤ１７を点灯させると、各ＬＥＤ１７から出射した光は、図６に示すように、導光板１６における光入射面１６ｂに入射する。光入射面１６ｂに入射した光は、導光板１６における外部の空気層との界面にて全反射されたり、導光反射シート２０により反射されるなどして導光板１６内を伝播される過程で、図示しない反射部または散乱部によって反射または散乱されることで光出射面１６ａから出射されて光学部材１５に照射される。
【００５８】
ここで、本実施形態に係る液晶表示装置１０においては、導光板１６及び光学部材１５に対して液晶パネル１１が直接積層されていて、従来のようにパネル受け部材が介在する構成とはなっていない。従って、単純にこのパネル受け部材を廃止した場合には、ＬＥＤ１７側の空間が液晶パネル１１側の空間に連通していてＬＥＤ１７からの光が、導光板１６を介さずに直接液晶パネル１１や光学部材１５の端面に入射することが懸念されるところであった。その点、本実施形態では、図５から図７に示すように、ＬＥＤ１７と液晶パネル１１の長辺側の端部との間に遮光部２８が介在しているので、ＬＥＤ１７からの光が導光板１６を介することなく、液晶パネル１１及び光学部材１５に直接入射する、光漏れの発生を防止することができる。特に本実施形態では、導光板１６の光入射面１６ｂを有する長辺側の端部が、ＬＥＤ取付部材１８及びＬＥＤ付き信号伝送部材２６の各凹状部２７内に差し込まれるとともに凹状部２７を構成する両長辺側壁部２７ａ，２７ｂ間に挟み込まれる配置構成（遮光部２８の突出先端部が光入射面１６ｂを超える位置に達する配置構成）とされているので、ＬＥＤ１７と光入射面１６ｂとの間の空間がほぼ閉鎖状態に保たれており、ＬＥＤ１７からの光が両長辺側壁部２７ａ，２７ｂの外部に漏れ出すのが好適に防がれている。これにより、ＬＥＤ１７からの光を効率的に導光板１６の光入射面１６ｂに入射させることができるとともに、上記閉鎖空間からの光漏れを防いで液晶パネル１１及び光学部材１５への直接的な入光をより確実に防ぐことができる。また、凹状部２７内に導光板１６の光入射面１６ｂを有する端部が差し込まれることで、ＬＥＤ１７の主発光面１７ａと導光板１６の光入射面１６ｂとの間の距離が短くなっており、それによりＬＥＤ１７から光入射面１６ｂに入射する光の入射効率をより高いものとすることができる。もって、輝度の向上または低消費電力化を図ることができる。また、凹状部２７は、ＬＥＤ１７の並び方向に沿って延在する溝状に形成されているから、凹状部２７を構成する各壁部２７ａ〜２７ｃが各ＬＥＤ１７から発せられてその並び方向に沿って広がる光を遮ることが殆どないものとされ、それにより輝度ムラの発生を防止することができる。以上により、液晶パネル１１に表示される画像に係る表示品位を高いものとすることができる。
【００５９】
以上説明したように本実施形態の液晶表示装置（表示装置）１０は、ＬＥＤ（光源）１７と、ＬＥＤ１７の光を利用して表示を行う液晶パネル（表示パネル）１１と、液晶パネル１１の端部に接続されるフレキシブル基板２２と、液晶パネル１１に対してその表示面１１ｃ側とは反対側に重なるように配されるとともに端面である光入射面１６ｂがＬＥＤ１７と対向状に配される導光板１６と、ＬＥＤ１７及びフレキシブル基板２２を収容する一方、液晶パネル１１及び導光板１６を表示面１１ｃ側とその反対側とから挟み込む形で保持する一対の保持部であるフレーム１３及びシャーシ１４を有する保持部材ＨＭと、フレキシブル基板２２に接続されることで液晶パネル１１に信号を伝送可能とされるとともに、ＬＥＤ１７が取り付けられるＬＥＤ付き信号伝送部材（光源付き信号伝送部材）２６と、を備える。
【００６０】
このようにすれば、液晶パネル１１には、ＬＥＤ付き信号伝送部材２６からフレキシブル基板２２を介して信号が伝送されるのに対し、ＬＥＤ１７から発せられた光は、導光板１６の端面である光入射面１６ｂに入射してから液晶パネル１１へ導かれるので、その光を利用して液晶パネル１１に画像が表示される。保持部材ＨＭが有する一対の保持部であるフレーム１３及びシャーシ１４は、ＬＥＤ１７及びフレキシブル基板２２を収容する一方、互いに重なるようにして配された液晶パネル１１及び導光板１６を、表示面１１ｃ側とその反対側とから挟み込まれる形で保持しており、従来のように導光板１６及びＬＥＤ１７と液晶パネル１１及びフレキシブル基板２２との間にパネル受け部材が介在する構成となっていないため、仮にＬＥＤ１７をＬＥＤ基板に取り付けたり、ＬＥＤ１７が取り付けられたＬＥＤ基板を放熱部材に取り付けるようにした場合にはフレキシブル基板２２がＬＥＤ基板や放熱部材に干渉して損傷などを受けることが懸念される。その点、本実施形態では、フレキシブル基板２２が接続されることで液晶パネル１１に信号を伝送可能とされるとともに、ＬＥＤ１７が取り付けられるＬＥＤ付き信号伝送部材２６が備えられているから、上記のようにフレキシブル基板２２が他の部材（ＬＥＤ基板や放熱部材など）に干渉するのを回避することができる。これにより、フレキシブル基板２２に損傷などが生じ難くなり、もって液晶パネル１１に係る表示品位を安定的に良好なものとすることができる。また、仮にＬＥＤ１７が取り付けられるＬＥＤ基板と、フレキシブル基板２２が接続される信号伝送部材とを別途に設けた場合に比べると、当該液晶表示装置１０の狭額縁化を図ることができるとともに、部品点数を削減することができてコスト面でも有利となる。
【００６１】
また、ＬＥＤ付き信号伝送部材２６には、ＬＥＤ１７と液晶パネル１１の端部との間に介在して遮光する遮光部２８が形成されている。このようにすれば、遮光部２８によってＬＥＤ１７からの光が導光板１６を介することなく液晶パネル１１の端部に直接入射するのを遮ることができる。これにより、液晶パネル１１への光漏れを防ぐことができて表示品位が低下するのを防ぐことができる。
【００６２】
また、遮光部２８は、ＬＥＤ付き信号伝送部材２６におけるＬＥＤ１７が取り付けられた面から導光板１６側に向けて突出して少なくとも導光板１６の端面である光入射面１６ｂに達している。このようにすれば、ＬＥＤ付き信号伝送部材２６におけるＬＥＤ１７が取り付けられた面から導光板１６側に向けて突出する遮光部２８が、少なくとも導光板１６の端面である光入射面１６ｂに達しているから、ＬＥＤ１７からの光をより効率的に導光板１６の端面である光入射面１６ｂに入射させることができるとともに、液晶パネル１１の端部への直接の入射をより確実に防ぐことができる。これにより、遮光部２８による遮光機能をより高いものとすることができ、液晶パネル１１への光漏れをより確実に防止することができる。
【００６３】
また、遮光部２８は、導光板１６の端面である光入射面１６ｂを超える位置にまで達している。このようにすれば、遮光部２８による遮光機能を一層高いものとすることができ、液晶パネル１１への光漏れを一層確実に防止することができる。
【００６４】
また、ＬＥＤ付き信号伝送部材２６における導光板１６との対向面には、凹状部２７が形成され、この凹状部２７にＬＥＤ１７が収容される形で取り付けられるとともに、導光板１６の端部が差し込まれており、凹状部２７を構成する壁部である長辺側壁部２７ａによって遮光部２８が構成されている。このようにすれば、ＬＥＤ１７が凹状部２７に収容される形で取り付けられ、その凹状部２７に導光板１６の端部が差し込まれているので、ＬＥＤ１７と導光板１６の端面である光入射面１６ｂとの間の距離を短くすることができ、それによりＬＥＤ１７から導光板１６の端面である光入射面１６ｂに入射する光の入射効率を高いものとすることができる。しかも、上記距離が短くなることで当該液晶表示装置１０の狭額縁化を図ることができる。そして、凹状部２７を構成する壁部（長辺側壁部２７ａ）である遮光部２８によってＬＥＤ１７からの光が液晶パネル１１の端部に入射するのを良好に遮ることができる。
【００６５】
また、凹状部２７を構成する壁部は、ＬＥＤ１７及び導光板１６に対して表示面１１ｃ側に配されて遮光部２８となる部分である長辺側壁部２７ａと、ＬＥＤ１７及び導光板１６に対して表示面１１ｃ側とは反対側に配される部分である長辺側壁部２７ｂとを少なくとも有している。このようにすれば、凹状部２７を構成する壁部が、ＬＥＤ１７及び導光板１６に対して表示面１１ｃ側に配される部分（遮光部２８）である長辺側壁部２７ａと、ＬＥＤ１７及び導光板１６に対して表示面１１ｃ側とは反対側に配される部分である長辺側壁部２７ｂとを少なくとも有しているから、これらの部分（長辺側壁部２７ａ，２７ｂ）によってＬＥＤ１７から発せられた光を導光板１６の端面である光入射面１６ｂへと一層効率的に入射させることができる。これにより、光の利用効率を一層高いものとすることができ、輝度の向上並びに低消費電力化を図ることができる。
【００６６】
また、ＬＥＤ１７は、複数が導光板１６の端面である光入射面１６ｂに沿って並ぶ形で配されており、凹状部２７は、ＬＥＤ１７の並び方向に沿って延在する溝状に形成されている。このようにすれば、凹状部２７への各ＬＥＤ１７の取り付けなどが容易なものとなる。しかも、各ＬＥＤ１７から発せられてその並び方向に広がる光が、凹状部２７を構成する壁部である長辺側壁部２７ａ，２７ｂによって遮られることなく導光板１６の端面である光入射面１６ｂに入射されるので、輝度ムラの抑制などに好適となる。
【００６７】
また、フレキシブル基板２２は、液晶パネル１１の端部に沿う方向について複数が間欠的に並んで配されており、遮光部２８は、液晶パネル１１の端部に沿う方向についてフレキシブル基板２２と平面に視て重畳する重畳領域ＬＡと、フレキシブル基板２２と平面に視て重畳しない非重畳領域ＮＬＡとに跨る形で配されている。このようにすれば、重畳領域ＬＡ及び非重畳領域ＮＬＡの双方において、遮光部２８によってＬＥＤ１７からの光が導光板１６を介することなく液晶パネル１１の端部に直接入射するのを遮ることができるのに加え、重畳領域ＬＡと非重畳領域ＮＬＡとの境界位置においても、これらを跨ぐ形で配される遮光部２８によってＬＥＤ１７からの光を遮ることができるから、光漏れをより確実に防止することができる。
【００６８】
また、一対の保持部であるフレーム１３及びシャーシ１４のいずれか一方の保持部であるフレーム１３には、ＬＥＤ付き信号伝送部材２６に対して導光板１６側とは反対側に配されるとともに、ＬＥＤ付き信号伝送部材２６と、一対の保持部であるフレーム１３及びシャーシ１４のうちの他方の保持部であるシャーシ１４とが取り付けられる取付部２１が設けられている。このようにすれば、一対の保持部であるフレーム１３及びシャーシ１４のいずれか一方の保持部であるフレーム１３に設けられた取付部２１に、ＬＥＤ付き信号伝送部材２６と、一対の保持部であるフレーム１３及びシャーシ１４のうちの他方の保持部であるシャーシ１４とが取り付けられるから、仮に両者の取付構造を別途に用意した場合に比べると、構造を簡素化することができるとともに、当該液晶表示装置１０の狭額縁化を図る上でも好適となる。
【００６９】
また、一対の保持部であるフレーム１３及びシャーシ１４のうち少なくとも取付部２１が設けられた保持部であるフレーム１３は、金属製とされる。このようにすれば、少なくとも取付部２１が設けられた保持部であるフレーム１３における熱伝導性が良好なものとなるから、ＬＥＤ付き信号伝送部材２６から取付部２１に伝達されるＬＥＤ１７の熱を効率的に放熱することができる。
【００７０】
また、光源は、ＬＥＤ１７とされる。このようにすれば、高輝度化及び低消費電力化などを図ることができる。
【００７１】
＜実施形態２＞
本発明の実施形態２を図９によって説明する。この実施形態２では、ＬＥＤ付き信号伝送部材１２６に導光板１１６の光入射面１１６ｂを当接させるようにしたものを示す。なお、上記した実施形態１と同様の構造、作用及び効果について重複する説明は省略する。
【００７２】
本実施形態に係るＬＥＤ付き信号伝送部材１２６（ＬＥＤ取付部材１１８）のうち凹状部１２７は、図９に示すように、その幅寸法（Ｚ軸方向についての寸法）が導光板１１６の板厚寸法よりも小さいものとされる。この凹状部１２７を構成する両長辺側壁部１２７ａ，１２７ｂ（遮光部１２８）には、導光板１１６の光入射面１１６ｂを有する長辺側の端部を受け入れる第２凹状部３１が形成されている。第２凹状部３１は、その幅寸法が凹状部１２７の幅寸法及び導光板１１６の板厚寸法よりも大きいものとされる。そして、第２凹状部３１のうち導光板１１６の光入射面１１６ｂと対向状をなす奥壁面には、導光板１１６の光入射面１１６ｂが当接されている。これにより、ＬＥＤ付き信号伝送部材１２６に対して導光板１１６をＹ軸方向について位置決めすることができるとともに、ＬＥＤ１１７の主発光面１１７ａと導光板１１６の光入射面１１６ｂとの間の距離をほぼ一定に保つことができる。もって、ＬＥＤ１１７から導光板１１６の光入射面１１６ｂに入射する光の入射効率を安定したものとすることができ、液晶パネル１１１に表示される画像の表示品位をより高いものとすることができる。しかも、各ＬＥＤ１１７を点灯させるのに伴って生じる熱によって当該液晶表示装置１１０の内部の温度が上昇すると、導光板１１６に熱膨張が生じる場合があるが、その場合であっても導光板１１６が第２凹状部３１の奥壁面に当接されることで、熱膨張した導光板１１６がＬＥＤ１１７に干渉するのを防ぐことができる、といった効果をも得られる。なお、上記した第２凹状部３１は、ＬＥＤ付き信号伝送部材１２６とは反対側に配されるＬＥＤ取付部材（図示せず）にも同様に設けることが可能である。
【００７３】
以上説明したように本実施形態によれば、遮光部１２８は、導光板１１６の端面である光入射面１１６ｂに当接されている。このようにすれば、遮光部１２８が導光板１１６の端面である光入射面１１６ｂに当接されることで両者間に隙間が形成されるのを防ぐことができるから、液晶パネル１１１への光漏れをより確実に防止することができる。しかも、遮光部１２８によって導光板１１６をＬＥＤ１１７に対して位置決めすることができ、それによりＬＥＤ１１７から導光板１１６の端面である光入射面１１６ｂに入射する光の入射効率を安定化させることができるのに加え、温度環境の変化に伴って導光板１１６に熱膨張が生じた場合でも導光板１１６がＬＥＤ１１７に干渉するのを防ぐことができる。
【００７４】
＜実施形態３＞
本発明の実施形態３を図１０によって説明する。この実施形態３では、導光板２１６をＬＥＤ付き信号伝送部材２２６の凹状部２２７の外部に配しつつも、ＬＥＤ付き信号伝送部材２２６に導光板２１６の光入射面２１６ｂを当接させるようにしたものを示す。なお、上記した実施形態１，２と同様の構造、作用及び効果について重複する説明は省略する。
【００７５】
本実施形態に係るＬＥＤ付き信号伝送部材２２６（ＬＥＤ取付部材２１８）の凹状部２２７は、図１０に示すように、その幅寸法（Ｚ軸方向についての寸法）が導光板２１６の板厚寸法よりも小さいものとされる。従って、導光板２１６は、凹状部２２７の外部に配されるのであるが、その光入射面２１６ｂが凹状部２２７を構成する両長辺側壁部２２７ａ，２２７ｂ（遮光部２２８）の外面に当接されている。これにより、上記した実施形態２と同様にＬＥＤ２１７と導光板２１６の光入射面２１６ｂとの間の距離をほぼ一定に保つことができるとともに、導光板２１６に熱膨張が生じた場合のＬＥＤ２１７に対する干渉を防止することができる。また、ＬＥＤ付き信号伝送部材２２６の遮光部２２８は、ＬＥＤ２１７の実装面２１８ａから導光板２１６側に向けて突出し、その突出先端面が導光板２１６の光入射面２１６ｂと一致して当接する位置にまで達している。
【００７６】
＜実施形態４＞
本発明の実施形態４を図１１によって説明する。この実施形態４では、導光板３１６をＬＥＤ付き信号伝送部材３２６（ＬＥＤ取付部材３１８）の凹状部３２７の外部に配するとともに、ＬＥＤ付き信号伝送部材３２６に導光板３１６を当接させない構成としたものを示す。なお、上記した実施形態１から３と同様の構造、作用及び効果について重複する説明は省略する。
【００７７】
本実施形態に係るＬＥＤ付き信号伝送部材３２６の凹状部３２７は、図１１に示すように、その幅寸法（Ｚ軸方向についての寸法）が導光板３１６の板厚寸法よりも大きく設定されているものの、導光板３１６が凹状部３２７の外部に配されている。その上で、導光板３１６の光入射面３１６ｂは、ＬＥＤ付き信号伝送部材３２６に対してＹ軸方向について離間した位置に配されていて当接しない配置とされている。
【００７８】
＜実施形態５＞
本発明の実施形態５を図１２によって説明する。この実施形態５では、フレーム４１３から側壁部を省略したものを示す。なお、上記した実施形態１と同様の構造、作用及び効果について重複する説明は省略する。
【００７９】
本実施形態に係るフレーム４１３は、図１２に示すように、パネル押さえ部４１３ａと、その外周縁部から裏側に向けて突出する取付部４２１とを有してなるものとされ、上記した実施形態１に記載した側壁部（図６を参照）が省略されている。このような構成とすれば、液晶表示装置４１０の額縁部分の幅をより狭くすることができ、一層の狭額縁化を図ることができる。
【００８０】
＜実施形態６＞
本発明の実施形態６を図１３または図１４によって説明する。この実施形態６では、フレーム５１３に遮光支持部３２を設けるようにしたものを示す。なお、上記した実施形態１と同様の構造、作用及び効果について重複する説明は省略する。
【００８１】
本実施形態に係るフレーム５１３におけるパネル押さえ部５１３ａには、図１３及び図１４に示すように、液晶パネル５１１の端部とＬＥＤ５１７との間に介在する形で配される遮光支持部（遮光部、導光板支持部）３２が設けられている。遮光支持部３２は、パネル押さえ部５１３ａの両長辺側部分のうち取付部５２１と押さえ突起５２４との間の位置にそれぞれ一対配されている。遮光支持部３２は、パネル押さえ部５１３ａの内面からＺ軸方向に沿って裏側に向けて突出するとともに、パネル押さえ部５１３ａの長辺方向（Ｘ軸方向）に沿って延在する横長な略ブロック状をなしている。遮光支持部３２は、液晶パネル５１１及び光学部材５１５におけるＬＥＤ５１７側の各端部と、ＬＥＤ５１７との間に存在する空間を閉塞することで、ＬＥＤ５１７からの光が、導光板５１６を通ることなく液晶パネル５１１及び光学部材５１５の上記端部に直接入射するのを防ぐ、いわば遮光機能を有している。従って、ＬＥＤ付き信号伝送部材５２６（ＬＥＤ取付部材５１８）が有する遮光部５２８は、上記した遮光支持部３２と協働することで、ＬＥＤ５１７からの光漏れを二重に防止することができるものとされる。なお、本実施形態では、Ｙ軸方向についてＬＥＤ付き信号伝送部材５２６側とは反対側に配されたＬＥＤ５１７は、上記した実施形態１に記載したＬＥＤ取付部材１８（図４を参照）とは異なる部材であるＬＥＤ基板３３に実装されており、こちら側のＬＥＤ５１７からの光漏れについては専ら遮光支持部３２によって防止される。このＬＥＤ基板３３は、Ｘ軸方向及びＹ軸方向に沿う板面を有する平板状をなす汎用的な部材であり、ＬＥＤ５１７の実装面３３ａ側とは反対側の板面が長辺側の取付部５２１に対して当接した状態でビスなどによって固定されている。また、一対の遮光支持部３２のうち、フレキシブル基板５２２と平面に視て重畳する位置関係にある（ＬＥＤ付き信号伝送部材５２６側の）遮光支持部３２には、フレキシブル基板５２２を挿通するためのフレキシブル基板挿通溝部３２ｂが、Ｘ軸方向に沿って複数間欠的に並列する形で切欠形成されており、その配置が各フレキシブル基板５２２の配置と一致するものとされる。
【００８２】
さらには、この遮光支持部３２は、その突出先端面が導光板５１６のうち液晶パネル５１１及び光学部材５１５よりもＬＥＤ５１７側に突出した部分に対して当接されている。従って、遮光支持部３２は、シャーシ５１４との間で導光板５１６を挟み込んだ状態で支持することが可能とされ、導光板支持機能を有している。この遮光支持部３２によって導光板５１６を支持することで、ＬＥＤ５１７と光入射面５１６ｂとのＺ軸方向についての位置関係を安定的に維持することが可能とされている。また、遮光支持部３２における液晶パネル５１１との対向面には、緩衝材３２ａが設けられており、この緩衝材３２ａによって液晶パネル５１１の端面を受けることが可能とされている。組み付けに際しては、緩衝材３２ａによって液晶パネル５１１をその表示面５１１ｃに沿う方向について位置決めすることが可能とされている。
【００８３】
＜実施形態７＞
本発明の実施形態７を図１５または図１６によって説明する。この実施形態７では、ＬＥＤユニットＬＵに放熱部材１９を追加したものを示す。なお、上記した実施形態１と同様の構造、作用及び効果について重複する説明は省略する。
【００８４】
本実施形態に係るＬＥＤユニットＬＵは、図１５及び図１６に示すように、ＬＥＤ６１７及びＬＥＤ付き信号伝送部材６２６（ＬＥＤ取付部材６１８）に加えて、ＬＥＤ付き信号伝送部材６２６が取り付けられる放熱部材（光源取付部材、ヒートスプレッダ）１９を備えている。放熱部材１９は、例えばアルミニウムなどの熱伝導性に優れた金属製とされており、ＬＥＤ付き信号伝送部材６２６が取り付けられるＬＥＤ取付部（光源取付部）１９ａと、シャーシ６１４の板面に面接触される放熱部１９ｂとを備え、これらが断面略Ｌ字型の屈曲形状をなしている。
【００８５】
ＬＥＤ取付部１９ａは、ＬＥＤ付き信号伝送部材６２６の板面及び導光板６１６の光入射面６１６ｂに並行する板状をなしており、その長辺方向がＸ軸方向と、短辺方向がＺ軸方向と、厚さ方向がＹ軸方向とそれぞれ一致している。ＬＥＤ取付部１９ａのうち内側の板面、つまり導光板６１６側を向いた板面には、ＬＥＤ付き信号伝送部材６２６が取り付けられている。ＬＥＤ取付部１９ａは、その長辺寸法がＬＥＤ付き信号伝送部材６２６の長辺寸法と概ね同等とされるものの、短辺寸法がＬＥＤ付き信号伝送部材６２６の短辺寸法よりも少し小さくなっている。ＬＥＤ取付部１９ａのうち外側の板面、つまりＬＥＤ付き信号伝送部材６２６が取り付けられる板面とは反対側の板面は、フレーム６１３の突出部６２１に当接されている。つまり、ＬＥＤ取付部１９ａは、フレーム６１３の突出部６２１とＬＥＤ付き信号伝送部材６２６との間に介在する形で配されている。ＬＥＤ取付部１９ａは、次述する放熱部１９ｂにおける内側の端部、つまりＬＥＤ６１７（導光板６１６）側の端部からＺ軸方向に沿って表側、つまりフレーム６１３側に向けて立ち上がる形態とされている。
【００８６】
放熱部１９ｂは、シャーシ６１４のＬＥＤ収容部６１４ｂにおける収容底板部６１４ｂ１の板面に並行する板状をなしており、その長辺方向がＸ軸方向と、短辺方向がＹ軸方向と、厚さ方向がＺ軸方向とそれぞれ一致している。放熱部１９ｂのうち裏側の板面、つまりシャーシ６１４側を向いた板面は、その全域がシャーシ６１４における上記収容底板部６１４ｂ１の板面に対して面接触されている。これにより、ＬＥＤ６１７から点灯に伴って生じた熱は、ＬＥＤ付き信号伝送部材６２６、ＬＥＤ取付部１９ａ及び放熱部１９ｂを介することで、突出部６２１を有するフレーム６１３に加えてシャーシ６１４にも伝達されることで、効率的に外部へと放散されるようになっている。放熱部１９ｂは、その長辺寸法がＬＥＤ取付部１９ａとほぼ同じとされる。放熱部１９ｂは、フレーム６１３の突出部６２１と、シャーシ６１４の収容底板部６１４ｂ１との間に挟み込まれた状態で保持されている。そして、この放熱部１９ｂは、突出部６２１に対してネジ部材ＳＭによって取り付け状態に保持されるようになっており、そのネジ部材ＳＭを通すための挿通孔１９ｂ１を有している。放熱部１９ｂは、ＬＥＤ取付部１９ａにおける裏側の端部、つまりシャーシ６１４側の端部からＹ軸方向に沿って外側、つまり導光板６１６側とは反対側に向けて突出する形態とされている。なお、シャーシ６１４の収容底板部６１４ｂ１に形成された挿通孔６２５には、図１５に示すように、ネジ部材ＳＭの軸部のみを通す大きさの共締め用挿通孔６２５Ａと、図１６に示すように、ネジ部材ＳＭの軸部に加えて頭部をも通す大きさの放熱部材用挿通孔６２５Ｂとがあり、前者に通されるネジ部材ＳＭが放熱部１９ｂ及び収容底板部６１４ｂ１を共締めして突出部６２１に取り付けるのに対し、後者に通されるネジ部材ＳＭが放熱部１９ｂのみを突出部６２１に取り付けるのに機能する。なお、上記した放熱部材１９は、ＬＥＤ付き信号伝送部材６２６とは反対側に配されるＬＥＤ取付部材（図示せず）にも同様に設けることが可能である。
【００８７】
＜他の実施形態＞
本発明は上記記述及び図面によって説明した実施形態に限定されるものではなく、例えば次のような実施形態も本発明の技術的範囲に含まれる。
（１）上記した各実施形態では、ＬＥＤ付き信号伝送部材（ＬＥＤ取付部材）の凹状部がＬＥＤ及び導光板に対して表側に配される長辺側壁部（遮光部）と、裏側に配される長辺側壁部とを有する構成のものを示したが、裏側に配される長辺側壁部を省略する構成としても構わない。逆に、表側に配される長辺側壁部（遮光部）を省略する構成とすることも可能である。
【００８８】
（２）上記した各実施形態では、ＬＥＤ付き信号伝送部材（ＬＥＤ取付部材）に凹状部及び遮光部を形成した場合を示したが、凹状部及び遮光部を省略することも可能である。
【００８９】
（３）上記した各実施形態では、液晶パネルの長辺側の一端部にのみフレキシブル基板を接続したものを示したが、液晶パネルの長辺側の両端部にそれぞれフレキシブル基板が接続される構造のものにも本発明は適用可能である。その場合、導光板をその短辺方向について両側から挟み込んで対をなす形でＬＥＤ付き信号伝送部材を配置すればよい。
【００９０】
（４）上記した各実施形態では、液晶パネルの長辺側の端部にフレキシブル基板を接続したものを示したが、液晶パネルの短辺側の端部にフレキシブル基板が接続される構造のものにも本発明は適用可能である。その場合、ＬＥＤ付き信号伝送部材及びそこに実装したＬＥＤを、導光板の短辺側の端面に対して対向状に配するとともにその短辺側の端面を光入射面とすればよい。また、上記した（３）を適用し、導光板をその長辺方向について両側から挟み込んで対をなす形でＬＥＤ付き信号伝送部材を配置することも可能である。
【００９１】
（５）上記した（３），（４）以外にも、フレキシブル基板が液晶パネルにおける短辺側の端部と長辺側の端部とにそれぞれ接続される構成のものにも本発明は適用可能であり、その場合にはＬＥＤ付き信号伝送部材の配置を、上記した（３），（４）と同様にフレキシブル基板の配置に応じて変更すればよい。また、フレキシブル基板が液晶パネルにおける任意の３辺または４辺全てに接続される構成にも本発明は適用可能である。
【００９２】
（６）上記した各実施形態では、ＬＥＤ付き信号伝送部材（ＬＥＤ取付部材）を液晶パネル及び導光板の長辺方向に沿って２つ並んで配したものを示したが、ＬＥＤ付き信号伝送部材（ＬＥＤ取付部材）を液晶パネル及び導光板の長辺方向に沿って３つ以上並んで配する構成としたり、１つのみ配する構成とすることも可能である。
【００９３】
（７）上記した実施形態１では、導光板の板厚寸法がＬＥＤ付き信号伝送部材（ＬＥＤ取付部材）の凹状部の幅寸法よりも小さくなる寸法関係としたものにおいて、導光板の光入射面を有する端部が凹状部内に差し込まれるものを示したが、同じ寸法関係としたものにおいて、ＬＥＤ付き信号伝送部材における導光板側を向いた板面（ＬＥＤの実装面から突出する遮光部の突出先端面）が、光入射面と面一状をなす配置構成としたものも本発明に含まれる。
【００９４】
（８）上記した実施形態２では、ＬＥＤ付き信号伝送部材（ＬＥＤ取付部材）に形成した第２凹状部の奥壁面に導光板の光入射面が当接される構成のものを示したが、第２凹状部内に導光板の光入射面を有する端部が差し込まれるものの、その奥壁面に対して光入射面が非当接とされる構成のものも本発明に含まれる。
【００９５】
（９）上記した実施形態３では、導光板の板厚寸法がＬＥＤ付き信号伝送部材（ＬＥＤ取付部材）の凹状部の幅寸法よりも大きくなる寸法関係としたものにおいて、導光板の光入射面がＬＥＤ付き信号伝送部材に当接される構成のものを示したが、上記と同じ寸法関係としたものにおいて、導光板の光入射面がＬＥＤ付き信号伝送部材とは非当接とされる構成のものも本発明に含まれる。
【００９６】
（１０）上記した実施形態５に記載した構成（フレームの側壁部を省略した構成）は、それ以外の各実施形態１〜４，６，７に適用することも勿論可能である。
【００９７】
（１１）上記した実施形態６では、ＬＥＤ付き信号伝送部材側とは反対側のＬＥＤからの光漏れを専ら遮光支持部によって防止する構成のものを示したが、上記した実施形態１と同様にＬＥＤ付き信号伝送部材側とは反対側に、ＬＥＤ付き信号伝送部材と同一部品であるＬＥＤ取付部材を用いるようにし、そのＬＥＤ取付部材が有する遮光部と導光板支持部とによって二重で光漏れを防止するようにしても構わない。
【００９８】
（１２）上記した各実施形態では、ドライバを実装したフレキシブル基板を用いた場合を示したが、ドライバを液晶パネルのガラス基板上に実装する、ＣＯＧ実装を行うようにし、フレキシブル基板にはドライバを実装せずに信号を伝送するための配線構造を設けるようにしたものにも本発明は適用可能である。それ以外にも、ドライバをＬＥＤ付き信号伝送部材に実装し、フレキシブル基板にはドライバを実装しない構成とすることも可能である。
【００９９】
（１３）上記した各実施形態では、フレーム及びシャーシが共に液晶表示装置の外観を構成する外観部材とされるものを示したが、例えばシャーシについてはその裏面側に別途に用意した外観部品を装着して覆うようにすることで、シャーシが外部に露出しないようにしたものも本発明に含まれる。それ以外にも、フレーム及びシャーシを、別途に用意した外観部品によって共に覆うようにすることで、フレーム及びシャーシが外部に露出しないようにしたものも本発明に含まれる。
【０１００】
（１４）上記した各実施形態では、外観部材を構成するシャーシ及びフレームが金属製とされるものを示したが、シャーシとフレームとのいずれか一方または双方を合成樹脂製としたものも本発明に含まれる。この構成は、液晶表示装置に要求される機械的強度がそれほど高くない中小型の機種に採用するのが好ましい。
【０１０１】
（１５）上記した各実施形態では、電源基板にＬＥＤへの電力を供給する機能を持たせたものを示したが、ＬＥＤへ電力を供給するＬＥＤ駆動基板を電源基板から独立させるようにしたものも本発明に含まれる。
【０１０２】
（１６）上記した各実施形態では、メイン基板にチューナー部を設けるようにしたものを示したが、チューナー部を有するチューナー基板をメイン基板から独立させるようにしたものも本発明に含まれる。
【０１０３】
（１７）上記した各実施形態では、液晶パネルが有するカラーフィルタの着色部をＲ，Ｇ，Ｂの３色としたものを例示したが、着色部を４色以上とすることも可能である。
【０１０４】
（１８）上記した各実施形態では、光源としてＬＥＤを用いたものを示したが、有機ＥＬなどの他の光源を用いることも可能である。
【０１０５】
（１９）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１０６】
（２０）上記した各実施形態では、表示パネルとして液晶パネルを用いた液晶表示装置を例示したが、他の種類の表示パネルを用いた表示装置にも本発明は適用可能である。
【０１０７】
（２１）上記した各実施形態では、チューナー部を備えたテレビ受信装置を例示したが、チューナー部を備えない表示装置にも本発明は適用可能である。
【符号の説明】
【０１０８】
１０，１１０，４１０…液晶表示装置（表示装置）、１１，１１１，５１１…液晶パネル（表示パネル）、１１ｃ，５１１ｃ…表示面、１３，４１３，５１３，６１３…フレーム（保持部）、１４，５１４，６１４…シャーシ（保持部）、１６，１１６，２１６，３１６，４１６，５１６，６１６…導光板、１６ｂ，１１６ｂ，２１６ｂ，３１６ｂ，４１６ｂ，５１６ｂ，６１６ｂ…光入射面（端面）、１７，１１７，２１７，５１７，６１７…ＬＥＤ（光源）、１８ａ，２１８ａ…実装面（光源が取り付けられた面）、２１，４２１，５２１，６２１…取付部、２２，５２２…フレキシブル基板、２６，１２６，２２６，３２６，５２６，６２６…ＬＥＤ付き信号伝送部材（光源付き信号伝送部材）、２７，１２７，２２７，３２７…凹状部、２７ａ，１２７ａ，２２７ａ…長辺側壁部（壁部、遮光部となる部分）、２７ｂ，１２７ｂ，２２７ｂ…長辺側壁部（壁部、反対側に配される部分）、２７ｃ…短辺側壁部（壁部）、２８，１２８，２２８，５２８…遮光部、ＨＭ…保持部材、ＬＡ…重畳領域、ＮＬＡ…非重畳領域、ＴＶ…テレビ受信装置
【図１】
0005715966.tif 000002
【図２】
0005715966.tif 000003
【図３】
0005715966.tif 000004
【図４】
0005715966.tif 000005
【図５】
0005715966.tif 000006
【図６】
0005715966.tif 000007
【図７】
0005715966.tif 000008
【図８】
0005715966.tif 000009
【図９】
0005715966.tif 000010
【図１０】
0005715966.tif 000011
【図１１】
0005715966.tif 000012
【図１２】
0005715966.tif 000013
【図１３】
0005715966.tif 000014
【図１４】
0005715966.tif 000015
【図１５】
0005715966.tif 000016
【図１６】
0005715966.tif 000017